(57)【要約】【課題】ボタンが取り付けられた衣服などのアイロン掛けを効率よく行うことができるアイロンを提供すること。【解決手段】このように構成されたアイロン１は、ハンドリング操作可能な把手１２が備えられたアイロン本体１０と、アイロン本体１０の下端に設けられるとともに、ヒータ２２により加熱されるアイロンベース２０とで構成され、アイロンベース２０には、底面を第一分割部２１１と第二分割部２１２に分割する分割路３０が設けられている。【選択図】図１
2020014657.tif 000002
【特許請求の範囲】
【請求項１】
ハンドリング操作可能な把手が備えられたアイロン本体と、
前記アイロン本体の下端に設けられるとともに、ヒータにより加熱されるアイロンベースとで構成され、
前記アイロンベースには、底面を第一分割部と第二分割部に分割する分割路が設けられた
アイロン。
【請求項２】
前記アイロンベースは、底面視で長円形状に形成され、
前記分割路は、前記アイロンベースの長軸方向の端部側において、短軸方向に沿って設けられた
請求項１に記載のアイロン。
【請求項３】
前記分割路は、前記アイロンベースにおける外周縁との交差部位において、外側に向かうに伴い拡幅するように構成された
請求項１又は請求項２に記載のアイロン。
【請求項４】
前記分割路の上方側に、外側に向けて窪んだ凹部が設けられた
請求項１乃至請求項３のうちのいずれかに記載のアイロン。
【発明の詳細な説明】
【技術分野】
【０００１】
この発明は、衣服などのシワ伸ばしに用いられるアイロンに関する。
【背景技術】
【０００２】
アイロンは、アイロンを操作する把手が設けられたアイロン本体の下方側に、ヒータによって加熱されるアイロンベースが設けられており、加熱されたアイロンベースを衣服などの表面を滑らすように移動させることで、衣服などのシワを伸ばすことができる。
【０００３】
例えば、特許文献１にはアイロンベースの先端部分を尖らせたアイロンが開示されており、衣服の背面などのように広範囲な箇所をアイロンベースの全面を用いてシワを伸ばすことができ、ボタン同士の間やボタン周りなどの細かい箇所はアイロンベースの先端部分を用いてシワを伸ばすことができるとされている。
【０００４】
しかしながら、特許文献１に開示されているアイロンでは、アイロンの先端部分をボタン同士の間に配置させてはシワを伸ばすといった作業を、各ボタン同士の間で繰り返す必要があり、アイロン掛けに時間と手間を要するといった問題があった。
【先行技術文献】
【特許文献】
【０００５】
【特許文献１】特開２００９−２８３８５号公報
【発明の概要】
【発明が解決しようとする課題】
【０００６】
この発明は、上述の問題に鑑み、ボタンが取り付けられた衣服などのアイロン掛けを効率よく行うことができるアイロンを提供することを目的とする。
【課題を解決するための手段】
【０００７】
この発明は、ハンドリング操作可能な把手が備えられたアイロン本体と、前記アイロン本体の下端に設けられるとともに、ヒータにより加熱されるアイロンベースとで構成され、前記アイロンベースには、底面を第一分割部と第二分割部に分割する分割路が設けられたアイロンであることを特徴とする。
【０００８】
上述の前記アイロンベースの底面を第一分割部と第二分割部に分割するとは、前記アイロンベースそのものを前記第一分割部と前記第二分割部とに完全に分離した状態や、前記第一分割部と前記第二分割部とが上方で連結した状態を含む。
【０００９】
前記分割路は、前記アイロンベースを少なくとも２つに分割していればよく、例えば前記第一分割部と前記第二分割部とを所定の間隔を隔てて分離させるような隙間で構成された場合や、ボタンやダイヤルなどの操作により前記第一分割部と前記第二分割部とが分離結合可能に構成されている場合を含む。  
なお、前記分割路は、直線状に形成されている場合や湾曲している場合、屈曲している場合を含む。
【００１０】
この発明により、ボタンが取り付けられた衣服などのアイロン掛けを効率よく行うことができる。  
詳述すると、アイロン掛けをする衣服に取り付けられたボタンやボタンの糸足を前記分割路に挿通させながらアイロンを移動させるだけでアイロン掛けを行うことができる。このように、アイロン掛けしたボタンの間と隣接するボタンの間をアイロン掛けするために、ボタンをよけて前記アイロンベースの先端をボタン同士の間に配置し直す必要がなく、効率良く前記ボタン同士の間をアイロン掛けできる。
【００１１】
また、前記分割路に前記ボタンや前記糸足を挿通させることで、ボタン周りのアイロン掛けを同時に行うことができるため、例えばアイロンベースの先端をボタン周りで細かく動かす必要がなく、ボタンが取り付けられた衣服などのアイロン掛けを効率良く行うことができる。
【００１２】
この発明の態様として、前記アイロンベースは、底面視で長円形状に形成され、前記分割路は、前記アイロンベースの長軸方向の端部側において、短軸方向に沿って設けられてもよい。  
前記長円形状とは、例えば楕円形状や卵形状のようなオーバル形状の他、角が丸みを帯びた略二等辺三角形状などを含む。また、前記長円形状は、長軸や短軸といった所定の軸に対して線対称である場合や線対称でない場合を含む。
【００１３】
この発明によると、前記分割路の長さを短くできるため、衣服に取り付けられたボタンに対して前記分割路に挿通可能な位置に容易に移動させるとともに、前記分割路に容易に挿通させることができる。したがって、ボタンが取り付けられている衣服などのアイロン掛けをより効率よく行うことができる。
【００１４】
また、前記分割路が直線状で形成されているため、直線状に並んだボタンを連続してアイロン掛けでき、複数のボタン周りを連続してアイロン掛けすることができる。これにより、ボタンが取り付けられた衣服などのアイロン掛けをより効率よく行うことができる。
【００１５】
またこの発明の態様として、前記分割路は、前記アイロンベースにおける外周縁との交差部位において、外側に向かうに伴い拡幅するように構成されてもよい。  
この発明によると、前記アイロンベースの外周縁と前記分割路との交差部位において、前記分割路の外周縁側が外側に向かうに伴い前記分割路の幅が広くなるため、衣服に取り付けられたボタンや前記ボタンの糸足を前記分割路に案内する案内部として前記分割路の外端部を機能させることができる。したがって、容易に前記ボタンを前記分割路に挿通させるができるとともに、ボタン周りのアイロン掛けを効率よく行うことができる。
【００１６】
また、ボタンの糸足が前記分割路の幅よりも太い場合などのように、前記糸足を前記分割路に挿通できないような場合であっても、途中まで前記分割路に前記糸足を挿通できるため、前記ボタン周りのアイロン掛けをより確実に行うことができる。
【００１７】
またこの発明の態様として、前記分割路の上方側に、外側に向けて窪んだ凹部が設けられてもよい。  
この発明によると、前記分割路における前記凹部の下端側の幅を狭くすることができるため、前記凹部に挿通させるボタンの糸足の周りのアイロン掛けを確実に行うことができる。
【００１８】
また、前記糸足よりも拡径に構成される前記ボタンを前記凹部に案内できることから、前記ボタンが取り付けられた糸足を前記分割路に挿通させるための案内部として前記凹部を機能させることができ、前記糸足を確実に前記分割路に挿通できるとともに、前記ボタン周りをより効率よくアイロン掛けすることができる。
【発明の効果】
【００１９】
この発明により、ボタンが取り付けられた衣服などのアイロン掛けを効率よく行うことができるアイロンを提供することができる。
【図面の簡単な説明】
【００２０】
【図１】アイロンの概略側面図。
【図２】アイロンベースの概略底面図。
【図３】分割路の説明図。
【図４】分割路の説明図。
【図５】ボタン周りのアイロン掛けの説明図。
【図６】ボタン周りのアイロン掛けの説明図。
【図７】他の実施形態におけるアイロンベースの概略底面図。
【図８】他の実施形態の概略側面図。
【発明を実施するための形態】
【００２１】
この発明の一実施形態を以下図面と共に説明する。  
図１はアイロン１の概略側面図を示し、図２はアイロンベース２０の概略底面図を示し、図３及び図４はアイロンベース２０に設けられた分割路３０の説明図を示す。
【００２２】
なお、図１においてアイロン１の下方側の一部分については断面を示す。  
また、図２において、ベース本体２１の長軸方向を長手方向Ｌとし、短軸方向を幅方向Ｗとし、他の図においても同様とする。
【００２３】
図３及び図４について詳述すると、図３（ａ）は図１中のα部の拡大図を示し、図３（ｂ）は図２中のβ部の拡大図を示す。図４（ａ）は図１におけるＡ−Ａ矢視断面図を示し、図４（ｂ）は図１におけるＢ−Ｂ矢視断面図を示す。
【００２４】
アイロン１は、図１に示すように、アイロン本体１０と、アイロン本体１０の下方側に設けられたアイロンベース２０とで構成されている。  
アイロン本体１０は、電子機器類や貯水タンクなどが内蔵された本体部１１と、アイロン１のハンドリング操作をするための把手１２とで構成され、本体部１１における把手１２の下方側には、アイロンベース２０の温度を設定するための温度設定部１３が備えられている。
【００２５】
本体部１１は、アイロン１の種々の機能に対応する電子機器類やアイロンベース２０に設けられたスチーム噴出孔（図示省略）から噴出するスチーム用の水を貯める貯水タンクなどを内蔵する本体であり、その構成は従来からあるものと変わりないため詳細については割愛する。
【００２６】
温度設定部１３は、本体部１１の内部に収納されたサーモスタット（図示省略）と連結しており、サーモスタットが後述するヒータ２２への通電を制御することにより、アイロンベース２０の温度を調節することができる。
【００２７】
アイロン本体１０の下方側に設けられているアイロンベース２０は、衣服に押し当てる金属製のベース本体２１と、ベース本体２１に内蔵されたヒータ２２とで構成されている。  
ベース本体２１は、図２に示すように、幅方向Ｗよりも長手方向Ｌの方が長い底面視略二等辺三角形状で形成され、各角部分が丸みを帯びている。また、先端部分の形状は、先端側に向かうに伴い先細りするように形成されている。
【００２８】
このアイロンベース２０の先端側には、図１乃至図４に示すように、ベース本体２１の底面を窪ませた分割路３０が幅方向Ｗに沿って直線状に形成されている。換言すると、ベース本体２１の底面は、分割路３０により第一分割部２１１と第二分割部２１２とに分割されている。
【００２９】
ヒータ２２は、図２において破線で示すように、ベース本体２１の成形時にベース本体２１の内部にＵ字状に埋め込まれた電熱線であり、外部電源と接続することで通電して発熱し、ベース本体２１を加熱することができる。このヒータ２２の後端側には外部電源と接続するための電源連結部２２ａがベース本体２１から外部に突出するように設けられている。
【００３０】
ベース本体２１の底面を分割する分割路３０は、幅方向Ｗの長さＬ１が９ｍｍとなる位置に設けられた溝であり、底面側に形成された糸足挿通部３１と、糸足挿通部３１の上方側において長手方向Ｌに窪んだボタン挿通部３２とで構成されている。
【００３１】
糸足挿通部３１は、把手１２と直交するように幅方向Ｗに沿って形成されており、長手方向Ｌに対して所定の間隔を隔てて互いに対向する一対の面である糸足挿通面３１１，３１１と、糸足挿通面３１１，３１１の幅方向Ｗの両端に形成された糸足案内部３１２，３１２とで構成されている。
【００３２】
糸足挿通面３１１，３１１は、図３（ａ）に示すように、長手方向Ｌに対して所定の幅を隔てた壁面であり、その高さはワイシャツに取り付けられている一般的なボタンの厚さ（約２．４ｍｍ）よりも低く構成されている。  
なお本実施形態では、糸足挿通面３１１，３１１の高さは０．３ｍｍとするが、この高さは適宜変更することができる。
【００３３】
また、対向する糸足挿通面３１１，３１１同士の間隔は、衣服にボタンを取り付けている糸足の幅よりも十分な長くなるように構成されている。なお、本実施形態において糸足挿通面３１１，３１１同士の間隔Ｌ２は１．５ｍｍとしている。
【００３４】
糸足案内部３１２，３１２は、図３（ｂ）及び図４（ａ）に示すように、幅方向Ｗの外側に向かうに伴い、長手方向Ｌに対して滑らかに拡幅するように形成されている。これにより、衣服のボタンを取り付ける糸足が引っ掛かることなくボタン挿通部３２に挿通される。
【００３５】
糸足挿通部３１の上方に設けられたボタン挿通部３２は、互いに対向する糸足挿通面３１１と反対側に窪ませた凹部であり、互いに対向する凹部の底面を形成するボタン挿通部底面３２１，３２１と、凹部の下方側側面を形成するボタン挿通部下面３２２，３２２と、凹部の上方側側面を形成するボタン挿通部上面３２３とで構成されている。
【００３６】
ボタン挿通部底面３２１，３２１は、図３（ａ）に示すように、互いに対向するように形成された凹部の底面であり、その間隔は衣服に取り付けられているボタンが挿通可能となるように形成されている。なお、本実施形態において、ボタン挿通部底面３２１，３２１同士の間隔Ｌ３は６．０ｍｍとしている。
【００３７】
このボタン挿通部底面３２１，３２１の幅方向Ｗの外端部には、糸足挿通面３１１，３１１と同様に、幅方向Ｗの外側に向かうに伴い長手方向Ｌに対して滑らかに拡幅するボタン案内部３２４，３２４が設けられている（図４（ｂ）参照）。これにより、衣服に取り付けられたボタンを容易かつ確実にボタン挿通部３２に案内することができ、確実にボタン及びボタンを取り付ける糸足が分割路３０に挿通させることができる。
【００３８】
ボタン挿通部下面３２２，３２２は、図３（ａ）に示すように、互いに対向する糸足挿通面３１１，３１１側に向かうに伴い下方側に向かって傾斜するように形成されている。換言すると、ボタン挿通部下面３２２，３２２は、側面視において上方に向かうに伴い離間するように形成されている。
【００３９】
ボタン挿通部上面３２３は、ベース本体２１の上端よりも低い位置において、互いに対向するボタン挿通部底面３２１，３２１の上端を連結している。すなわち、ベース本体２１は、底面部分が分割路３０によって第一分割部２１１と第二分割部２１２とに分離されているが、ベース本体２１の上方においてボタン挿通部上面３２３を形成する連結部２１３により連結されている。このため、外部電源と接続して通電することにより発熱されたヒータ２２の熱が、連結部２１３を介して第一分割部２１１まで伝達するように構成されている。
【００４０】
このように構成されたアイロン１は、図５及び図６に示すように、衣服に取り付けられたボタンを分割路３０に挿通させることで、ボタンが取付けられた衣服のアイロン掛けを効率よく行うことができるとともに、確実にボタン周りのアイロン掛けも行うことができる。
【００４１】
以下、図５及び図６に基づいて簡単に説明する。  
ここで、図５は衣服Ｃのボタン周りのアイロン掛けの説明図を示し、図６はボタン図５（ｂ）におけるＣ−Ｃ矢視断面図を示す。
【００４２】
図５について詳述すると、図５（ａ）乃至図５（ｃ）はＢ−Ｂ矢視断面図における衣服Ｃのボタン周りのアイロン掛けの説明図を示し、図５（ｄ）乃至図５（ｆ）はＡ−Ａ矢視断面図における衣服Ｃのボタン周りのアイロン掛けの説明図を示す。
【００４３】
なお、図５（ａ）〜（ｆ）において、アイロンを図中の上方（襟側）から下方（裾側）に向けて移動させている。  
また、図５中において、衣服Ｃに取り付けられているボタンＢは、上方（襟側）からＢ１，Ｂ２，Ｂ３，Ｂ４とする。
【００４４】
一般的に、ボタンＢ同士の間をアイロン掛けする場合、アイロンの先端側を、ボタンＢ同士の間（ボタンＢ１とボタンＢ２との間）に入れてアイロン掛けを行った後に、次のボタンＢ同士の間（ボタンＢ２とボタンＢ３との間）にアイロンの先端側を入れ直してアイロン掛けを行う作業を繰り返している。
【００４５】
また、ボタン周りのアイロン掛けを行う場合、先細りしているアイロンベース２０の先端側をボタン周りに入れ込み、先端を細かく動かすことでボタン周りの周辺のシワを延ばしていたため、アイロン掛けの時間と手間がかかっていた。
【００４６】
しかしながら、アイロン１を用いたアイロン掛けでは、分割路３０がボタンＢと対応する位置となるように、アイロンベース２０の先端側である第一分割部２１１を襟元のボタンであるボタンＢ１とボタンＢ２との間に入れ込んだ後（図５（ａ）及び図５（ｄ）参照）、アイロン１を裾側に向けて動かす。
【００４７】
これにより、ボタンＢ２がボタン挿通部下面３２２に案内されてボタン挿通部３２に挿通されるため、ボタンＢ２を衣服Ｃに取り付けている糸足Ｓが糸足挿通部３１の中央付近に案内される。したがって、アイロン１を襟側から裾側に動かすだけでボタンＢ１とボタンＢ２との間のアイロン掛けを行うことができる（図５（ｂ）及び図５（ｅ）参照）。
【００４８】
また、図６に示すように、ボタン挿通部下面３２２，３２２が対向する糸足挿通面３１１，３１１側に向けてテーパ状に形成されているため、糸足Ｓの近辺のアイロン掛けを行うことができる。すなわち、ボタンＢ２の周辺のアイロン掛けを同時に行うことができる。
【００４９】
さらに、分割路３０の幅方向Ｗの長さＬ１は９ｍｍと、一般的なワイシャツのボタン間隔と略等しく構成されているため、ボタンＢ２が分割路３０を挿通すると同時に、ボタンＢ２と隣接するボタンＢ３が裾側のボタン挿通部下面３２２に案内されることとなる。
【００５０】
これにより、アイロン掛けしたボタン同士の間（ボタンＢ１とボタンＢ２との間）と隣接するボタン同士の間（ボタンＢ２とボタンＢ３との間）とボタンＢ３の周辺を連続してアイロン掛けすることができる（図５（ｃ）及び図５（ｆ）参照）。
【００５１】
さらにまた、糸足挿通面３１１，３１１の高さが一般的なワイシャツのボタンの厚みよりも低く形成されるとともに、ボタン挿通部下面３２２，３２２がテーパ状に形成されているため、糸足Ｓが立っていないボタンＢであっても、ボタン挿通部下面３２２，３２２がボタンＢの下方側に入り込ませることができ、確実にボタンを分割路３０に挿通させることができるとともに、ボタンＢの周辺のアイロン掛けを容易かつ確実に行うことができる。
【００５２】
このように構成されたアイロン１は、ハンドリング操作可能な把手１２が備えられたアイロン本体１０と、アイロン本体１０の下端に設けられるとともに、ヒータ２２により加熱されるアイロンベース２０とで構成され、アイロンベース２０には、底面を第一分割部２１１と第二分割部２１２に分割する分割路３０が設けられていることにより、ボタンＢが取り付けられた衣服Ｃなどのアイロン掛けを効率よく行うことができる。
【００５３】
詳述すると、アイロンベース２０に分割路３０を設けることにより、アイロン掛けをする衣服Ｃに取り付けられたボタンＢやボタンＢの糸足Ｓを分割路３０に挿通させながらアイロン１を移動させるだけで、アイロン掛けを行うことができる。
【００５４】
このように、アイロン掛けしたボタンＢ同士の間（例えばボタンＢ１とボタンＢ２との間）と隣接するボタンＢ同士の間（例えばボタンＢ２とボタンＢ３との間）をアイロン掛けするために、ボタンＢ（ボタンＢ２）をよけてアイロンベース２０の先端をボタンＢ同士の間に配置し直す必要がなく、効率良くボタンＢ同士の間をアイロン掛けできる。
【００５５】
また、分割路３０にボタンＢや糸足Ｓを挿通させることで、ボタンＢの周りのアイロン掛けを同時に行うことができる。すなわち、アイロン１の先端を用いて細かくアイロン１を動かす必要がなく、ボタンＢが取り付けられた衣服Ｃなどのアイロン掛けを効率良く行うことができる。
【００５６】
また、アイロンベース２０は、底面視で長円形状である二等辺三角形状に形成され、分割路３０は、アイロンベース２０の長手方向Ｌの先端側において、幅方向Ｗに沿って設けられていることにより、分割路３０が長軸方向である長手方向Ｌに沿って形成されている場合と比べて分割路３０の長さを短くすることができる。これにより、衣服Ｃに取り付けられたボタンＢ同士を分割路３０に挿通させる動作を容易に行うことができる。  
したがって、ボタンＢが取り付けられている衣服Ｃのアイロン掛けをより効率よく行うことができる。
【００５７】
また、分割路３０が直線状で形成されているため、アイロン１を一方向に移動させるだけで、直線状に並んだボタンＢ同士の間やボタンＢの周りを連続してアイロン掛けできるため、複数のボタンＢの周りを連続してアイロン掛けすることができ、衣服Ｃのアイロン掛けをより効率よく行うことができる。
【００５８】
さらにまた、分割路３０は、アイロンベース２０における外周縁との交差部位において、外側に向かうに伴い拡幅するように構成されていることにより、分割路３０の外周縁側が外側に向かうに伴い分割路３０の幅が広くなる。このため、分割路３０の外端部を、衣服Ｃに取り付けられたボタンＢやボタンＢの糸足Ｓを分割路３０に案内する案内部として機能させることができる。したがって、容易にボタンＢを分割路３０に案内でき、ボタンＢの周りのアイロン掛けを効率よく行うことができる。
【００５９】
また、ボタンＢの糸足Ｓが、分割路３０の幅よりも太い場合などのように、糸足Ｓを分割路３０に挿通させることができないような場合であっても、途中まで分割路３０に糸足Ｓを挿通させることができるため、ボタンＢの周りのアイロン掛けをより確実に行うことができる。
【００６０】
また、分割路３０の上方側に、外側に向けて窪んだボタン挿通部３２が設けられていることにより、分割路３０におけるボタン挿通部３２の下端側、すなわち糸足挿通部３１の幅を狭くすることができるため、ボタン挿通部３２に挿通させるボタンＢの糸足Ｓの周りのアイロン掛けを確実に行うことができる。
【００６１】
さらにまた、側面視で糸足Ｓよりも径が広い構成されるボタンＢを、ボタン挿通部３２に案内できることから、ボタンＢが取り付けられた糸足Ｓを分割路３０に挿通させるための案内部としてボタン挿通部３２を機能させることができ、糸足Ｓを容易かつ確実に分割路３０に挿通させることができるとともに、ボタンＢの周りをより効率よくアイロン掛けすることができる。
【００６２】
この発明の構成と、上述の実施形態との対応において、
凹部は、ボタン挿通部３２に対応するが、
この発明は、上述の実施形態の構成のみに限定されるものではなく、多くの実施の形態を得ることができる。
【００６３】
例えば、本実施形態において、アイロンベース２０の底面を構成する第一分割部２１１と第二分割部２１２は、連結部２１３で連結されているが、必ずしも第一分割部２１１と第二分割部２１２とが連結されている必要はなく、第一分割部２１１と第二分割部２１２とが完全に分離してもよい。
【００６４】
また、本実施形態においてベース本体２１は、底面視で角部が丸みを帯びた略二等辺三角形状としているが、この形状に限定されず、例えば底面視楕円形状や卵形形状などのオーバル形状であってもよい。さらには、長軸や短軸などの所定の軸に対して線対称でない形状であてもよい。
【００６５】
また、本実施形態において、分割路３０は糸足挿通部３１とボタン挿通部３２とで構成されているが、ボタンＢの外径（平面視における最大長）よりも大きな間隔で隔てられた糸足挿通面３１１，３１１で構成される糸足挿通部３１のみで構成されてもよい。すなわち糸足挿通部３１は、糸足ＳのみならずボタンＢも挿通することとなる。この構成によると、より安易な構成でボタンＢが取り付けられている衣服Ｃのアイロン掛けを効率よく行うことができる。
【００６６】
また、本実施形態では、分割路３０がアイロンベース２０の先端側にのみ設けられているが、他端側にも分割路３０が設けられてもよい。  
また、分割路３０は幅方向Ｗに沿って形成されている必要はなく、長手方向Ｌに沿って形成されていてもよい。
【００６７】
さらにまた、本実施形態では、分割路３０が幅方向Ｗに沿って直線状に形成されているが、分割路３０の直線状に限定されず、波形状や湾曲形状、屈曲形状など、その形状は適宜変更することができる。
【００６８】
例えば、図７（ａ）に示すように、糸足挿通面３１１，３１１に対応する糸足挿通面３１１ａ，３１１ａが、対向する糸足挿通面３１１ａと半波長ずれた波形状に形成することができる。このように糸足挿通面３１１ａ，３１１ａを波形状とすることにより、糸足挿通面３１１ａ，３１１ａ同士の間隔が連続的に変化させることができるため、間隔が狭まる箇所において糸足Ｓの周りをより確実にアイロン掛けすることができる。
【００６９】
また、図７（ｂ）のように、糸足挿通面３１１，３１１に対応する糸足挿通面３１１ｂ，３１１ｂが所定の幅を有した状態で、先端側に向けて湾曲する略『くの字状』に形成することができる。このように形成することにより、襟に沿ってアイロンを入れながら襟元に設けられたボタンＢ１を分割路３０に挿通させるようアイロンを操作できるとともに、湾曲した部位を用いてボタンＢ１の周りを確実にアイロン掛けすることができる。
【００７０】
さらにまた、本実施形態において分割路３０を隔てて第一分割部２１１と第二分割部２１２とが配置されているが、図８に示すように、開閉ボタン１４を押下することで第一分割部２１１が先端側に向けて移動する構成としてもよい（図８（ｂ）参照）。
【００７１】
なお、第一分割部２１１の先端側への移動は、開閉ボタン１４を押下することにより所定の位置で係止する構成としてもよい。換言すると、開閉ボタン１４を押下することにより糸足挿通面３１１，３１１が所定の間隔を隔てて固定される構成としてもよい。
【００７２】
また、第一分割部２１１の先端側への移動は、開閉ボタン１４を押した状態で第一分割部２１１が先端側に移動し、押された開閉ボタン１４を放すことで第一分割部２１１が所定の位置に戻るような構成としてもよい。
【００７３】
なお、開閉ボタン１４は押下するボタン型だけでなく、例えばダイヤルを回すことにより糸足挿通面３１１，３１１が所定の間隔を隔てるように構成してもよい。この場合、第一分割部２１１の移動は段階的に移動する構成としてもよい。
【００７４】
さらにまた、連結部２１３の先端側が可撓性を有する部材で構成されてもよい。このように、第一分割部２１１の上方が可撓性を有する可撓部で構成されることにより、分割路３０にボタンＢや糸足Ｓを挿通させることができるだけでなく、第一分割部２１１をボタン周りや他の細かい部分にもアイロンベースを押し当てることができ、より効率よくアイロン掛けを行うことができる。
【符号の説明】
【００７５】
１        アイロン
１０      アイロン本体
１２      把手
２０      アイロンベース
２２      ヒータ
２１１    第一分割部
２１２    第二分割部
３０      分割路
３２      ボタン挿通部
【図１】
2020014657.tif 000003
【図２】
2020014657.tif 000004
【図３】
2020014657.tif 000005
【図４】
2020014657.tif 000006
【図５】
2020014657.tif 000007
【図６】
2020014657.tif 000008
【図７】
2020014657.tif 000009
【図８】
2020014657.tif 000010